(57)【要約】【課題】冷却性能に優れ信頼性を向上させた高調波抑制装置およびそれを用いた空気調和機を提供する。【解決手段】筐体１００Ａ内に収容される制御基板１１０及びフィルタ基板１１１の上面及び下面に搭載された被冷却部品と、被冷却部品に向けて送風するＡＣファン１２０と、ＡＣファン１２０の吹出側空間１２３と吸込側空間１２４とを仕切る仕切り板１２１と、制御基板１１０及びフィルタ基板１１１の上面に搭載された被冷却部品をＡＣファン１２０による送風からカバーする端子台取付板１１５と、を備え、端子台取付板１１５は、ＡＣファン１２０の上部側に向かって配置され、下部側まで達していない。【選択図】図４
2020073855.tif 000002
【特許請求の範囲】
【請求項１】
筐体内に収容される基板の上面及び下面に搭載された被冷却部品と、
前記被冷却部品に向けて送風する冷却ファンと、
前記冷却ファンの吹出側空間と吸込側空間とを仕切る仕切り板と、
前記基板の上面に搭載された被冷却部品を前記冷却ファンによる送風からカバーするカバー部材と、を備え、
前記カバー部材は、前記冷却ファンの上部側に向かって配置され、下部側まで達していない、高調波抑制装置。
【請求項２】
前記冷却ファンは、前記カバー部材の前方に配置されており、
前記カバー部材は、下方前方に向かって傾斜しながら延出する傾斜面部を備え、
前記傾斜面部は、前記冷却ファンによる送風を直接受ける、請求項１に記載の高調波抑制装置。
【請求項３】
前記カバー部材は、端子台を上方に取り付ける取付面部を備える、請求項２に記載の高調波抑制装置。
【請求項４】
前記冷却ファンの吹き出し口中心に対向し、前記傾斜面部の前端部から前方に向かって突出した後に垂下する垂直面部を備える、請求項２又は請求項３に記載の高調波抑制装置。
【請求項５】
請求項１乃至請求項４の何れかの一項に記載の高調波抑制装置を備える空気調和機。
【発明の詳細な説明】
【技術分野】
【０００１】
本発明は、高調波抑制装置およびそれを用いた空気調和機に関する。
【背景技術】
【０００２】
空気調和機や冷凍機などは、圧縮機とファンモータとを備え、高効率な運転を実現するため、上記圧縮機と上記ファンモータは回転速度を可変できるようにインバータ装置により駆動される。上記インバータ装置を搭載した機器の商用電源には、高調波電流が発生し、振動や騒音等を引き起こすおそれがある。このため、冷凍装置には、インバータ装置によって発生する高調波電流を抑制する高調波抑制装置が備えられている。
【０００３】
特許文献１には、外郭を構成する第１筐体と、前記第１筐体の上部に設置され、前記室外熱交換器に空気を供給する室外ファンと、前記第１筐体の前記室外熱交換器の開放部側であって、前記圧縮機よりも上部に開閉可能に取り付けられ、前記圧縮機及び前記室外ファンを制御する制御器と、前記制御器から発生する高調波を抑制する高調波抑制装置と、前記第１筐体内の前記圧縮機よりも上部に着脱自在に設置され、前記高調波抑制装置を収容する第２筐体と、を備え、前記第２筐体に形成されている空気取込口から前記冷却ファンに至るまでの風路を迷路構造とした室外ユニットが記載されている。特許文献１記載の室外ユニットは、異物を除去する目的で吸い込んだ空気を蛇行させる迷路構造としている。
【先行技術文献】
【特許文献】
【０００４】
【特許文献１】特開２０１２−２２５５３７号公報
【発明の概要】
【発明が解決しようとする課題】
【０００５】
しかしながら、このような従来の室外ユニットにあっては、空気取込口から冷却ファンに至るまでの風路が迷路構造になっており風量が低下してしまう。また、構造を簡略化し迷路構造を除外すると、被冷却部品を冷却して温まった空気を冷却ファンが吸い込んでしまう問題があることが分かった。冷却ファンが風や周りの温かい空気を吸い込んでしまうと、冷却ファンの寿命が短くなる。また、温かい空気を吐出すので冷却能力も落ちる。
【０００６】
本発明は、このような事情に鑑みてなされたものであり、冷却性能に優れ信頼性を向上させた高調波抑制装置およびそれを用いた空気調和機を提供することを目的とする。
【課題を解決するための手段】
【０００７】
上記課題を解決するために、本発明の高調波抑制装置は、筐体内に収容される基板の上面及び下面に搭載された被冷却部品と、前記被冷却部品に向けて送風する冷却ファンと、前記冷却ファンの吹出側空間と吸込側空間とを仕切る仕切り板と、前記基板の上面に搭載された被冷却部品を前記冷却ファンによる送風からカバーするカバー部材と、を備え、前記カバー部材は、前記冷却ファンの上部側に向かって配置され、下部側まで達していない。
【発明の効果】
【０００８】
本発明によれば、冷却性能に優れ信頼性を向上させた高調波抑制装置およびそれを用いた空気調和機を提供することができる。
【図面の簡単な説明】
【０００９】
【図１】本発明の実施形態に係る空気調和機の室外ユニットに設置される高調波抑制装置の概略構成を示す斜視図である。
【図２】本実施形態に係る高調波抑制装置の取付ケースの要部斜視図であり空気の流れの概略を示している。
【図３】本実施形態に係る高調波抑制装置の構成を示す分解斜視図である。
【図４】本実施形態に係る高調波抑制装置の構造を模式的に示す図である。
【図５】本実施形態に係る高調波抑制装置の構造を模式的に示す図である。
【図６】本実施形態に係る高調波抑制装置の構造を模式的に示す図である。
【図７】本実施形態に係る高調波抑制装置のＡＣファンおよび端子台取付板の配置を説明する要部斜視図である。
【図８】比較例の高調波抑制装置の構造を模式的に示す図である。
【図９】本実施形態に係る高調波抑制装置の実施例の構造を模式的に示す図である。
【発明を実施するための形態】
【００１０】
以下、本発明の実施形態について図面を参照して詳細に説明する。
図１は、本発明の実施形態に係る空気調和機の室外ユニットに設置される高調波抑制装置の概略構成を示す斜視図である。空気調和機は、室外ユニットと図示しない室内ユニットが、冷媒配管により接続されて冷凍サイクルを構成し、空気調和を行うものである。
本実施形態の高調波抑制装置は、例えば、圧縮機やファンモータをインバータ装置で駆動する空気調和機や冷凍機などの冷凍装置に用いられる。高調波抑制装置１００は、インバータ装置で発生する高調波を抑制するいわゆるアクティブフィルタ装置である。
図１に示すように、室外ユニット１は、外郭を構成する略直方体形状の筺体１Ａを備える。筺体１Ａの内部には、冷媒を圧縮する圧縮機、冷媒と空気との間で熱交換を行う室外熱交換器、室外熱交換器に空気を供給する室外ファン、制御装置（いずれも図示省略）等が搭載されている。
【００１１】
室外ユニット１の筺体１Ａの上部には、高調波抑制装置１００を横置きで収容する高調波抑制装置１００の取付ケース１０が設置される。取付ケース１０は、略直方体形状の筺体１Ａの横幅（図１の左右方向の正面幅）と、筺体１Ａの奥行き（図１の前後方向の奥行き）とが同一サイズで揃えられている。また、取付ケース１０の高さ（図１の上下方向の高さ）は、取付ケース１０の奥行きと略同じである。取付ケース１０とその内部に収容された高調波抑制装置１００は、筺体１Ａの上面に対して略水平の横置きに設置される。このため、取付ケース１０を筺体１Ａの上部に設置した場合、室外ユニット１の筺体１Ａと取付ケース１０とは一体的な外観に保たれる。
取付ケース１０は、筺体１Ａの上部への取り付けの際、室外ユニット１の筺体１Ａの上部の上カバー２を一旦取り外し、取付ケース１０を横置きで載置した後、再びこの上カバー２を取付ケース１０の上面に載せて、これら取付ケース１０および上カバー２をネジ止めする。
取付ケース１０は、直方体形状の有底のハウジングであり、底部１０ａが筺体１Ａの上部を覆う蓋となるように横置きで設置される。取付ケース１０の底部１０ａ右端には、筺体１Ａの内部に連通する配線通し穴（図示省略）が開口している。なお、この配線通し穴には、ゴムカバーからなるグロメットが装着され、配線の保護およびガタつきを防いでいる。
【００１２】
図２は、図１の右後方の上方から破断した取付ケース１０の要部斜視図である。なお、図２は、後方から見た図であるので左右が逆となっている。
図１および図２に示すように、取付ケース１０は、矩形形状の底部１０ａと、矩形形状の底部１０ａ外周を囲繞し上方に向けて立ち上がる側壁１０ｂと、ハウジング内に収容された高調波抑制装置１００へ給気するための給気孔１０ｃと、高調波抑制装置１００からの排気を取付ケース１０の外へと排出するための排気孔１０ｄと、高調波抑制装置１００の筺体１００Ａを側壁１０ｂおよび底部１０ａから所定距離離隔して載置するための載置台１０ｅと、を備える。
図２に示すように、載置台１０ｅは、高調波抑制装置１００の筺体１００Ａを取付ケース１０の底部１０ａから所定距離離隔しつつ、筺体１００Ａの底部１０１ａ（図４参照）と取付ケース１０の底部１０ａとの間でハウジング空間１２を形成するように３方（図２の左右後方向）に立脚する台座１０ｆと、高調波抑制装置１００の筺体１００Ａの後端部に当接して筺体１００Ａの位置（図２の左方向）を規制する後板１０ｇと、高調波抑制装置１００の筺体１００Ａの一方の側部（図２の前方向）と取付ケース１０の前側壁１０ｂとの間にハウジング空間１２を連通させつつ、前側壁１０ｂの排気孔１０ｄの周囲を覆うようにブリッジ状に形成された橋脚板１０ｈと、を備える。この載置台１０ｅによって、高調波抑制装置１００を取付ケース１０内に設置した際に、給気孔１０ｃを給気口として、また排気孔１０ｄを排気口として機能させることができる。
高調波抑制装置１００の筺体１００Ａは、載置台１０ｅにネジ止めにより固定される。高調波抑制装置１００は、載置台１０ｅによって、ハウジング内で内壁および底部１０ａから周囲（前後、左右、および上下）に所定の間隙を持って横置き設置される。よって、取付ケース１０内に横置き設置された高調波抑制装置１００の筺体１００Ａの周囲には、空気を通風するための十分な空間が存在する。
【００１３】
図１の載置例では、図２の破線矢印ａに示すように、取付ケース１０の後側壁１０ｂに形成された給気孔１０ｃから取付ケース１０のハウジング内に空気が取り入れられ、図２の破線矢印ｂに示すように、高調波抑制装置１００の筺体１００Ａの側面部１０１ｂ（図３の方向矢印を基準にすれば後側の側面部１０１ｂ）を通って取付ケース１０のハウジング空間１１に達する（図１および図２参照）。ここで高調波抑制装置１００の筺体１００Ａは、取付ケース１０のハウジング内の右側が給気口となるよう横置きで設置されている。図２の破線矢印ｃに示すように、ハウジング空間１１の空気は、筺体１００Ａの前面取付板１０２（後記）から筺体１００Ａ内部に給気される。
一方、高調波抑制装置１００の筺体１００Ａ内部からの排気は、図２の破線矢印ｄに示すように、筺体１００Ａの後端部の底部１０１ａ（図４参照）の排気通路部１０１ｇの下方に設けられた開口部１０１ｈから取付ケース１０のハウジング空間１２に排出され、ハウジング空間１２の排気は、取付ケース１０の前側壁１０ｂに形成された排気孔１０ｄから取付ケース１０の外部に排気される。
【００１４】
図３は、高調波抑制装置１００の構成を示す分解斜視図である。なお、図３は、後方から見た図であるので左右が逆となっている。
図３に示すように、高調波抑制装置１００の筺体１００Ａは、筺体本体１０１と、筺体本体１０１の前方端部（図３の右側）を塞ぐ前面取付板１０２と、筺体本体１０１の上方を覆う上カバー１０３と、を備える。
【００１５】
<筺体本体１０１>
筺体本体１０１は、底部１０１ａと、底部１０１ａから上方に延設された側面部１０１ｂと、底部１０１ａおよび側面部１０１ｂの後端を塞ぐ後面取付板１０１ｃと、底部１０１ａ上面に固定されて、後記する基板取付板１１２を支持する支持部１０１ｄと、後記する端子台取付板１１５を支持する支持部１０１ｅと、後端部の底部１０１ａに設けられ、排気用の開口部１０１ｆ（図４参照）を有する排気通路部１０１ｇと、を備える。
底部１０１ａおよび側面部１０１ｂは、メッキされた板金を折り曲げ加工して形成される。側面部１０１ｂは、上端部が筺体本体１０１内部側に垂直に折り曲げられ、上カバー１０３の取付面１０１ｆとなっている。上カバー１０３は、この取付面１０１ｆにネジ止めされる。後方端部１０１ｃは、底部１０１ａおよび側面部１０１ｂの後端にネジ止めにより固定される。支持部１０１ｄは、底部１０１ａに固定され、支持部１０１ｅは、側面部１０１ｂ内側に固定される。なお、固定方法はネジ止めによらずどのようなものでもよい。
図３の右側（方向矢印を基準にすれば左側）にある後面取付板１０１ｃの上端部には、高調波抑制装置１００の筺体１００Ａを取付ケース１０に設置するための取付面板１０１ｇが取り付けられている。取付面板１０１ｇは、後記する取付面板１０１ｇと共に、図１に示すように、高調波抑制装置１００の筺体１００Ａを取付ケース１０内部に収容して、載置台１０ｅにネジ止め固定される。なお、後面取付板１０１ｃは、取付面板１０１ｇ側がやや外方に拡がっており傾斜面が形成されている。本実施形態では、高調波抑制装置１００は横置きであるが、仮に高調波抑制装置１００を縦置きで使用する場合、傾斜面を有する後面取付板１０１ｃが最上部となって傾斜面によって雨滴等を逃がすことができる。
【００１６】
<筺体本体１０１内部>
筺体本体１０１内部には、高調波抑制装置１００の制御基板１１０およびフィルタ基板（ＬＦ：Low-pass filter基板）１１１を取り付ける基板取付板１１２と、端子台１１３および電流センサ１１４を取り付ける端子台取付板１１５とが収容される。制御基板１１０には、高調波を抑制する高調波抑制制御回路、商用電源の高調波電流を打ち消す電流を生成する高調波抑制駆動回路等が搭載される。フィルタ基板１１１には、パワーモジュールを駆動した際に発生する電源電圧に重畳されるリプルを抑制するリプルフィルタ回路、電源電圧に誘起されるノイズを抑制するノイズフィルタ回路が搭載され、電源電圧に重畳されるリプルと電源電圧に誘起されるノイズを抑制する。端子台１１３は、現地電源と高調波発生機器とを接続する配線を取り付ける。また、電流センサ１１４は、電源電流を検出する。
【００１７】
制御基板１１０の裏面には、放熱フィン１１６が取り付けられ、制御基板１１０の熱を放熱する。基板取付板１１２には、ＡＣリアクトル１５５（後記図４参照）等の電子部品の一部を埋め込むための開口部１１２ａと、後記する仕切り板１２１を支持する取付部１１２ｂとを有する。基板取付板１１２は、筺体本体１０１の支持部１０１ｄにより両面からネジ止め固定される。
端子台取付板１１５（後記図４、図５参照）は、端子台１１３および電流センサ１１４を取り付ける取付面部１１５ａと、取付面部１１５ａの前端部（図３の右方向）から下方前方に向かって傾斜しながら延出する傾斜面部１１５ｂと、傾斜面部１１５ｂの前端部から更に一旦前方に向かって突出した後に垂下する垂直面部１１５ｃと、端子台取付板１１５を筺体本体１０１に取り付ける取付部１１５ｄとを有する。傾斜面部１１５ｂと垂直面部１１５ｃは放熱フィン１１６の反対側に位置されるとともに、ＡＣファン１２０からの送風を直接受けるように配置されることで、放熱フィン１１６以外の被冷却部品のカバー部材として機能する。これによって粉雪・散水が制御基板１１０およびフィルタ基板１１１に付着することを防ぐことができる。傾斜面部１１５ｂと垂直面部１１５ｃは、ＡＣファン１２０の吹き出し口に対して直行するが、粉雪・散水が制御基板１１０およびフィルタ基板１１１に付着しない構造であればその限りではない。端子台取付板１１５は、筺体本体１０１の支持部１０１ｅにより両面からネジ止め固定される。詳細は後記するが、高調波抑制装置１００の組み立て完了後には、端子台取付板１１５の垂直面部１１５ｃは、ＡＣファン１２０の吹き出し口の中心正面に対向して配置され、傾斜面部１１５ｂは、ＡＣファン１２０の吹き出し口の上部側に向かって配置される。ＡＣファン１２０の吹き出し口の下部側は、端子台取付板１１５には対向していない。つまり、端子台取付板１１５の垂直面部１１５ｃは、ＡＣファン１２０下部側までは達していない。
【００１８】
<前面取付板１０２>
図３の左側（方向矢印を基準にすれば右側）にある前面取付板１０２は、筺体本体１０１の底部１０１ａおよび側面部１０１ｂの前端（図３の右方向）を塞ぐように側面部１０１ｂにネジ止めされる。前面取付板１０２は、メッシュ状の給気孔１０２ａ（筐体１００Ａの吸込口）と、ゴムカバーからなるグロメット１０３が装着された配線通し穴１０２ｂとが開口している。給気孔１０２ａは、ＡＣファン１２０（冷却ファン）に対向して前面取付板１０２の下側に開口され、配線通し穴１０２ｂは、端子台取付板１１５上の端子台１１３に真直ぐに接続するよう前面取付板１０２の上側に開口される。また、後記する図４に示すように、前面取付板１０２の外側には、粉雪・散水侵入防止板１０２ｃ（ひさし部）と、高調波抑制装置１００の筺体１００Ａを取付ケース１０内に設置するための取付面板１０２ｄが取り付けられている。
【００１９】
<ＡＣファン１２０仕切り板構造>
ＡＣファン１２０は、高調波抑制装置１００の筺体１００Ａ内に空気を吸い込んで制御基板１１０およびフィルタ基板１１１に搭載された電子部品（被冷却部品）および放熱フィン１１６を冷却する。高調波抑制装置１００は、ＡＣファン１２０の吸込側空間１２３（後記図４参照）と吹出側空間１２４（後記図４参照）とを仕切るとともに、筐体１００Ａの給気孔１０２ａからＡＣファン１２０の吸込側に向かって空気が直行する風路を形成する仕切り板１２１を備え、ＡＣファン１２０は、ＡＣファン１２０の外周と吸込側空間１２３を取り囲んで収容する仕切り板１２１内に設置される。具体的には、仕切り板１２１は、ＡＣファン１２０を取り付ける取付面部１２１ａと、取付面板１２１ａから吸込み側に向かって延設された仕切り板部１２１ｂと、仕切り板部１２１ｂの端部から外方に延びるフランジ部１２１ｃと、仕切り板１２１を基板取付板１１２に取り付ける取付板１２１ｄとを有する。
【００２０】
仕切り板部１２１ｂは、ＡＣファン１２０を取付面部１２１ａにボルトで締結した場合、ＡＣファン１２０の吸込側に十分な容量の吸込側空間１２３が形成されるような長さ（深さ）に形成される。本実施形態では、仕切り板部１２１ｂは、ＡＣファン１２０の流路断面積Ａ[m2]の値に対し、吸込側空間１２３が略２Ａ[m]の長さ（深さ）となるように形
成される（例えば、流路断面積が0.0144[m2]の場合、長さは0.0288[m]=28.8[mm]とする）。ＡＣファン１２０の流路断面積Ａ[m2]の値に対し、長さ（深さ）は２Ａ[m]以上とすると良い。このようにして吸込側空間１２３を形成することで、ＡＣファン１２０への空気の吸込量を確保し易くなり、冷却性能を向上させることができる。特に、粉雪・散水侵入防止板１０２ｃを設けるとＡＣファン１２０の吸込量が低下する虞があるが、上記のようにして吸込側空間１２３を広く確保することで、粉雪や散水等の進入を抑制しつつＡＣファン１２０の冷却性能を確保することができる。
ＡＣファン１２０が取り付けられた仕切り板１２１は、取付板１２１ｄを介して基板取付板１１２の取付部１１２ｂにネジ止めされる。
前面取付板１０２を筺体本体１０１に取り付ける際、仕切り板１２１のフランジ部１２１ｃと前面取付板１０２の内面との間にウレタン樹脂等のシール部材１２２を介在させる。また、シール部材１２２は、仕切り板部１２１ｂの端部の外周部にも介在させる。これにより、前面取付板１０２を筺体本体１０１に取り付けた場合、仕切り板１２１のフランジ部１２１ｃと前面取付板１０２との密着性を高めることができる。なお、シール部材１２２を挟むことで、ＡＣファン１２０の振動防止の効果もある。
なお、本実施形態では、ＡＣファン１２０は、正方形の枠体に収められているため、仕切り板１２１の形状も正方形としたが、ＡＣファン１２０の吸込側空間１２３（後記する図４参照）と吹出側空間１２４とを仕切るものであれば、どのような形状でもよい。
【００２１】
図４〜図６は、高調波抑制装置１００の構造を模式的に示す図であり、図４はその正面から見た側面図、図５は、図４のＡ−Ａ矢視から見た上面図、図６は、右側から見た側面図である。図３と同一構成部分には同一符号を付している。図７は、ＡＣファン１２０および端子台取付板１１５の配置を説明する要部斜視図である。
図４〜図６に示すように、高調波抑制装置１００の筺体１００Ａは、筺体本体１０１と、筺体本体１０１の前方端部を塞ぐ前面取付板１０２と、筺体本体１０１の上方を覆う上カバー１０３と、を備える。前面取付板１０２の内側には、高調波抑制装置１００に搭載された電子部品（被冷却部品）を冷却するためのＡＣファン１２０が配置されている。ＡＣファン１２０は、仕切り板１２１内に設置され、仕切り板１２１は、ＡＣファン１２０の吸込側に十分な容量の吸込側空間１２３が形成されるような長さで前面取付板１０２に密着して配置される。
図７に示すように、ＡＣファン１２０を収めた仕切り板１２１は、シール部材１２２を介して前面取付板１０２の給気孔１０２ａを取り囲む位置に隙間なく密着する。よって、ＡＣファン１２０の吸込側空間１２３と吹出側空間１２４（図４参照）とが仕切り板１２１によって仕切られる。
【００２２】
高調波抑制装置１００の筺体１００Ａには、制御基板１１０と、フィルタ基板１１１とが基板取付板１１２に取り付けられている。
制御基板１１０の表面には、検出された電源電流及び電源電圧に基づいて高調波成分を検出し高調波を抑制する指令信号を生成する高調波抑制制御回路（図示省略）と、高調波抑制制御回路の出力に基づいて商用電源の高調波電流を打ち消す電流を生成するパワーモジュールを搭載した高調波抑制駆動回路（図示省略）と、直流電源を安定させる目的で設けられた複数（ここでは３つ）のアルミ電解コンデンサ１５１が配置され、制御基板１１０の裏面には、上記パワーモジュールの発熱を抑制するための放熱フィン１１６が配置される。
フィルタ基板１１１の表面には、コモンコイル１５２と、フィルムコンデンサ１５３とが配置され、フィルタ基板１１１の裏面には、ノーマルコイル１５４と、直流電圧を昇圧する目的で設けられたＡＣリアクトル（ＡＣＬ）１５５とが配置される。上記パワーモジュールとＡＣリアクトル１５５は、発熱部品であり、他の部品への影響を回避するために、パワーモジュールと放熱フィン１１６とＡＣリアクトル１５５とは、制御基板１１０およびフィルタ基板１１１の裏面側に実装する。
【００２３】
基板取付板１１２には、端子台取付板１１５の取付部１１５ｄがネジ止め固定されており、端子台取付板１１５は、基板取付板１１２の上方に持ち上げられように配置されている。端子台取付板１１５の取付面部１１５ａの上面には、端子台１１３および電流センサ１１４（図７参照）が配置されており、前面取付板１０２の配線通し穴１０２ｂから連通された図示しない配線が端子台１１３の端子に結線され、端子台１１３の端子から各電子部品に配線される。例えば、端子台１１３は、現地電源と高調波発生機器とを接続する配線を取り付ける。
端子台１１３および制御基板１１０は、配線（図示省略）により接続されており、現地電源は高調波抑制装置１００を介して高調波発生機器の空気調和機や冷凍機などの冷凍装置に接続されることになる。
【００２４】
端子台取付板１１５は、図４および図７に示すように、取付面部１１５ａの前端部（図４の右方向）から下方前方に向かって傾斜しながら延出する傾斜面部１１５ｂと、傾斜面部１１５ｂの前端部から更に一旦前方に向かって突出した後に垂下する垂直面部１１５ｃと、を有することで、ＡＣファン１２０からの送風を、制御基板１１０およびフィルタ基板１１１の裏面側へ優先的に流すようにする（図４の破線矢印ｃ参照）。前面取付板１０２の前面には、ひさし形状の粉雪・散水侵入防止板１０２ｃが取り付けられているが、それでも粉雪や散水等が筺体１００Ａ内に侵入することが考えられる。粉雪や散水等が侵入した場合にダメージを受けるのは、制御基板１１０およびフィルタ基板１１１の表面の配線および配置された電子部品等であり、制御基板１１０およびフィルタ基板１１１の裏面の放熱フィン１１６等への影響は少ないと考えられる。
【００２５】
そこで、本実施形態では、ＡＣファン１２０からの送風は筺体１００Ａ内に円滑に送り込む。すなわち、端子台取付板１１５の傾斜面部１１５ｂによって制御基板１１０の表面側への送風を上方に逃がしつつ（図４の破線矢印ｂ参照）、垂直面部１１５ｃによって制御基板１１０の表面側への直接の送風は抑制する。一方、垂直面部１１５ｃが延設されていない、制御基板１１０およびフィルタ基板１１１の裏面側に、優先的に送風する（図４の破線矢印ｃ参照）ことで、風量を確保するようにしている。制御基板１１０およびフィルタ基板１１１の裏面には、放熱フィン１１６やＡＣリアクトル１５５が配置されており、これら発熱部品の冷却性能を向上させることができる。
【００２６】
以下、上述のように構成された高調波抑制装置の作用効果について説明する。
本実施形態の高調波抑制装置１００は、下記比較例と対比することによって作用効果がより明らかとなる。
［比較例］
図８は、比較例の高調波抑制装置の構造を模式的に示す図である。比較例の説明に当たり、図４と同一構成部分には同一符号を付している。
図８に示すように、比較例の高調波抑制装置は、前面取付板１０２の内側に、前面取付板１０２から所定距離離隔してＡＣファン１２０が単体で立設されている。ＡＣファン１２０の吹出側は、端子台取付板１１５の傾斜面部１１５ｂおよび垂直面部１１５ｃに対向している。すなわち、端子台取付板１１５の垂直面部１１５ｃは、ＡＣファン１２０の吹き出し口の中心正面に対向して配置され、傾斜面部１１５ｂは、ＡＣファン１２０の吹き出し口の上部側に向かって配置される。ＡＣファン１２０の吹き出し口の下部側は、端子台取付板１１５には対向していない。
【００２７】
前面取付板１０２の前面には、ひさし形状の粉雪・散水侵入防止板１０２ｃが取り付けられている。図８の破線矢印ａに示すように、吸入空気は、粉雪・散水侵入防止板１０２ｃによって、一旦下方側まで下ろされてから給気孔１０２ａ位置まで持ち上げられる。これにより、空気に混入していた粉雪や散水等が落下し粉雪や散水等の侵入が抑制される。
前面取付板１０２の給気孔１０２ａから吸い込まれた空気は、端子台取付板１１５の傾斜面部１１５ｂによって上方に送風される（図４および図８の破線矢印ｂ参照）とともに、端子台取付板１１５のない制御基板１１０の裏面側に送風される（図４および図８の破線矢印ｃ参照）。これにより、吸入空気に、粉雪・散水侵入防止板１０２ｃで落としきれない粉雪・散水が残っていたとしても制御基板１１０およびフィルタ基板１１１に配置された電子部品への直接の送風が避けられることで、粉雪・散水侵入による影響を防ぐことができる。また、制御基板１１０およびフィルタ基板１１１の裏面側への風量は確保されることで、発熱部品の冷却性能を向上させることができる。
制御基板１１０およびフィルタ基板１１１の表面および裏面の電子部品や発熱部品を冷却した空気（図４および図８の破線矢印ｆ，ｇ参照）は、図４および図８の破線矢印ｈに示すように、筺体の後端部の底部１０１ａの排気通路部１０１ｉに設けられた開口部１０１ｈから外部に排気される。
【００２８】
ところが、比較例の高調波抑制装置では、図８に示すように、ＡＣファン１２０のみが単体で設置されているので、ＡＣファン１２０から吹き出された空気の一部は、ＡＣファン１２０の外周部を回ってＡＣファン１２０の吸入側に還流してしまう（図８の破線矢印ｄ，ｅ参照）。ＡＣファン１２０は、高調波抑制装置の筺体内の温かい空気を吸い込んでしまうことで、ＡＣファン１２０の寿命が短くなる。また、ＡＣファン１２０は、温かい空気を吐出すので冷却能力も落ちる。
【００２９】
［実施例］
図９は、実施例の高調波抑制装置１００の構造を模式的に示す図である。
図９に示すように、実施例の高調波抑制装置１００は、ＡＣファン１２０の吸込側空間１２３と吹出側空間１２４とを仕切るとともに、筐体１００Ａの給気孔１０２ａからＡＣファン１２０の吸込側に向かって空気が直行する風路を形成する仕切り板１２１を備える。すなわち、ＡＣファン１２０は、比較例のように単体で立設されているのではなく、吸込側空間１２３と吹出側空間１２４とを仕切る仕切り板１２１の中に収容されている。仕切り板１２１は、前面取付板１０２とＡＣファン１２０との間で、所定の吸込側空間１２３が形成される適切な長さの仕切り板部１２１ｂを備える。
【００３０】
仕切り板１２１により、図９の白抜き矢印に示すように、ＡＣファン１２０からの空気の吹出しは、すべて吹出側空間１２４に流れ、図８の比較例のようにＡＣファン１２０から吐出された空気がＡＣファン１２０の吸入側に還流することはない。これにより、ＡＣファン１２０は、高調波抑制装置１００の筺体１００Ａ内の温かい空気を吸い込んでしまうことがないので、ＡＣファン１２０の寿命を伸ばすことができる。また、ＡＣファン１２０の冷却能力を向上させることができる。
また、ＡＣファン１２０から吐出した空気を上昇させる風路を形成できないことから高調波抑制装置１００の横置きは困難であったが、本発明によれば、冷却能力に優れた高調波抑制装置１００を実現することができるので、高調波抑制装置１００の横置きも可能になる。その結果、図１に示すように、室外ユニット１の筺体１Ａの上部に、高調波抑制装置１００を収容する取付ケース１０を横置きで設置することができ、室外ユニット１の省スペース化と、室外ユニット１に取付ケース１０を設置した場合の審美性の向上を図ることができる。
【００３１】
本発明は上記実施形態に限定されるものではなく、特許請求の範囲に記載した本発明の要旨を逸脱しない限りにおいて、他の変形例、応用例を含む。
【００３２】
上記実施形態は本発明をわかりやすく説明するために詳細に説明したものであり、必ずしも説明した全ての構成を備えるものに限定されるものではない。また、ある実施形態の構成の一部を他の実施形態の構成に置き換えることが可能であり、また、ある実施形態の構成に他の実施形態の構成を加えることも可能である。また、各実施形態の構成の一部について、他の構成の追加・削除・置換をすることが可能である。
【符号の説明】
【００３３】
１  室外ユニット
１Ａ  筺体
１０  取付ケース
１０ａ  底部
１０ｂ  側壁
１０ｃ  給気孔
１０ｄ  排気孔
１０ｅ  載置台
１０ｆ  台座
１０ｇ  後板
１０ｈ  橋脚板
１１，１２  ハウジング空間
１００  高調波抑制装置
１００Ａ  筺体
１０１  筺体本体
１０１ａ  底部
１０１ｂ  側面部
１０１ｈ  排気用の開口部
１０１ｉ  排気通路部
１０２  前面取付板
１０２ａ  給気孔（筐体の吸込口）
１０２ｃ  粉雪・散水侵入防止板（ひさし部）
１０３  上カバー
１１０  制御基板
１１１  フィルタ基板
１１２  基板取付板
１０２ａ  給気孔（筐体の吸込口）
１１３  端子台
１１５  端子台取付板
１１５ａ  取付面部
１１５ｂ  傾斜面部（カバー部材）
１１５ｃ  垂直面部（カバー部材）
１１６  放熱フィン（被冷却部品）
１２０  ＡＣファン（冷却ファン）
１２１  仕切り板
１２１ａ  取付面部
１２１ｂ  仕切り板部
１２１ｃ  フランジ部
１２１ｄ  取付板
１２２  シール部材
１２３  吸込側空間
１２４  吹出側空間
１５１  アルミ電解コンデンサ（被冷却部品）
１５２  コモンコイル（被冷却部品）
１５３  フィルムコンデンサ（被冷却部品）
１５４  ノーマルコイル（被冷却部品）
１５５  ＡＣリアクトル（ＡＣＬ）（被冷却部品）
【図１】
2020073855.tif 000003
【図２】
2020073855.tif 000004
【図３】
2020073855.tif 000005
【図４】
2020073855.tif 000006
【図５】
2020073855.tif 000007
【図６】
2020073855.tif 000008
【図７】
2020073855.tif 000009
【図８】
2020073855.tif 000010
【図９】
2020073855.tif 000011